(57)【特許請求の範囲】
【請求項１】
圧縮機、膨張弁、空気熱交換器を備えたヒートポンプ装置、及び、このヒートポンプ装置から冷媒の供給を受けて水との熱交換により冷水又は温水を生成する水熱交換器、を有する室外機と、
前記室外機の前記水熱交換器で生成され導入管路を介して供給された前記冷水又は温水を用いて室内側空気に対する吸熱又は放熱により冷房又は暖房を行うとともに、前記吸熱又は放熱後の前記冷水又は温水を導出管路を介し前記室外機の前記水熱交換器へと還流させる、少なくとも１つの熱交換端末と、
前記熱交換端末の運転状態や設定状態を表示する表示部、及び、前記熱交換端末の運転状態を所定の制御態様で制御するための操作部、を有するリモコン装置と、
を有する冷温水冷暖房システムにおいて、
前記リモコン装置は、
前記熱交換端末の数及び種類と前記リモコン装置の数及び前記制御態様とに応じて各熱交換端末ごとにそれぞれ定まる、前記導入管路への熱動弁の設置の要否を、前記表示部に表示させる表示制御手段を有する
ことを特徴とする冷温水冷暖房システム。
【請求項２】
前記リモコン装置は、
前記操作部を介した、前記熱交換端末の種類の入力を受け付ける端末種類受付手段と、
前記操作部を介した、前記種類受付手段で入力を受け付けた前記熱交換端末に対する前記リモコン装置の前記制御態様の選択を受け付ける制御態様受付手段と、
前記制御態様受付手段で受け受けた選択結果に応じ、前記導入管路への熱動弁の設置の要否を各熱交換端末ごとにそれぞれ判定する判定手段と、
を有し、
前記表示制御手段は、
前記判定手段による判定結果を前記表示部に表示させる
ことを特徴とする請求項１記載の冷温水冷暖房システム。
【請求項３】
前記端末種類受付手段は、
前記熱交換端末が、前記冷水及び温水を用いて前記室内側空気との吸熱及び放熱を実行可能な冷温水端末、前記温水を用いて前記室内側空気に対し放熱を行う暖房端末、前記温水を用いて室内の床暖房を行う床暖房端末、及び、前記温水を用いて前記室内側空気に対し放熱を行う熱動弁内蔵型の暖房端末、のいずれであるかの入力を受け付け、
前記制御態様受付手段は、
前記種類受付手段で入力を受け付けた前記熱交換端末に対し、１つの前記リモコン装置により当該熱交換端末のみの個別制御を行うのか、１つの前記リモコン装置により他の熱交換端末と併せた一括制御を行うのか、の選択を受け付ける
ことを特徴とする請求項２記載の冷温水冷暖房システム。
【請求項４】
前記判定手段は、
前記少なくとも１つの熱交換端末に、前記個別制御が行われる端末が含まれるか否かに応じて、前記熱動弁の設置の要否を判定する
ことを特徴とする請求項３記載の冷温水冷暖房システム。
【請求項５】
前記判定手段は、
複数の前記熱交換端末に、前記冷温水端末と、前記暖房端末、前記床暖房端末、前記熱動弁内蔵型の暖房端末のうちいずれか１つと、が含まれるか否かに応じて、前記熱動弁の設置の要否を判定する
ことを特徴とする請求項３または請求項４記載の冷温水冷暖房システム。
【請求項６】
前記判定手段は、
複数の前記熱交換端末に、前記熱動弁内蔵型の暖房端末とそれ以外の端末との両方が含まれるか否かに応じて、前記熱動弁の設置の要否を判定する
ことを特徴とする請求項３乃至請求項５の何れか１項に記載の冷温水冷暖房システム。
【請求項７】
複数の前記熱交換端末それぞれに対応した複数の前記導入管路に対し共通に設けられる１つの往きヘッダと、
複数の前記熱交換端末それぞれに対応した複数の前記導出管路に対し共通に設けられる１つの戻りヘッダと、
を有し、
前記複数の導入管路は、
前記往きヘッダよりも上流側は１つの共通往き管として構成されるとともに、前記往きヘッダよりも下流側は前記複数の熱交換端末へそれぞれ向かう複数の個別往き管として構成されており、
前記複数の導出管路は、
前記戻りヘッダよりも上流側は前記複数の熱交換端末それぞれからの複数の個別戻り管として構成されるとともに、前記戻りヘッダよりも下流側は１つの共通戻り管として構成されており、
設置される前記熱動弁は、
対応する前記個別往き管に対し、当該個別往き管を開閉可能に配置される
ことを特徴とする請求項１乃至請求項６の何れか１項に記載の冷温水冷暖房システム。
【発明の詳細な説明】
【技術分野】
【０００１】
本発明は、ヒートポンプ装置と熱交換した冷温水を用いて冷暖房を実行可能な冷温水冷暖房システムに関する。
【背景技術】
【０００２】
従来より、この種のシステムにおいては、室外機の水熱交換器に対し複数の熱交換端末（放熱端末）をそれぞれ接続したものがあった（例えば、特許文献１参照）。このシステムにおいて、暖房運転の際は、ヒートポンプ装置からの冷媒により前記水熱交換器において生成された温水が導入管路を介して各放熱端末へと供給される。このとき、各放熱端末への前記導入管路それぞれに熱動弁が設置されており、前記熱動弁によって各導入管路が適宜に開閉制御されることで、各放熱端末の放熱温度が調整される。
【先行技術文献】
【特許文献】
【０００３】
【特許文献１】特開２０１３−２１７５２２号公報
【発明の概要】
【発明が解決しようとする課題】
【０００４】
一方、前記室外機の前記水熱交換器に対し接続される熱交換端末として、暖房用の前記放熱端末のみならず冷房用の吸熱端末を接続することも考えられる。この場合、冷房運転の際には、ヒートポンプ装置からの冷媒により前記水熱交換器において生成された冷水が、導入管路を介して前記吸熱端末へと供給されることとなる。
【０００５】
このように前記吸熱端末及び前記放熱端末を含む互いに種類の異なる複数の熱交換端末が室外機の水熱交換器に接続される場合も、前記従来技術と同様、特定の熱交換端末への前記導入管路に熱動弁を設置し、前記熱動弁によって当該導入管路を適宜に開閉制御する必要が生じることがある。このときの前記熱動弁の要否及び設置必要箇所は、前記熱交換端末の数及び種類や、各熱交換端末を所定の制御態様で制御するためのリモコン装置の数及び前記制御態様に応じ、多種多様なパターンに分かれることとなる。
【課題を解決するための手段】
【０００６】
上記問題を解決するために、本発明の請求項１では、圧縮機、膨張弁、空気熱交換器を備えたヒートポンプ装置、及び、このヒートポンプ装置から冷媒の供給を受けて水との熱交換により冷水又は温水を生成する水熱交換器、を有する室外機と、前記室外機の前記水熱交換器で生成され導入管路を介して供給された前記冷水又は温水を用いて室内側空気に対する吸熱又は放熱により冷房又は暖房を行うとともに、前記吸熱又は放熱後の前記冷水又は温水を導出管路を介し前記室外機の前記水熱交換器へと還流させる、少なくとも１つの熱交換端末と、前記熱交換端末の運転状態や設定状態を表示する表示部、及び、前記熱交換端末の運転状態を所定の制御態様で制御するための操作部、を有するリモコン装置と、を有する冷温水冷暖房システムにおいて、前記リモコン装置は、前記熱交換端末の数及び種類と前記リモコン装置の数及び前記制御態様とに応じて各熱交換端末ごとにそれぞれ定まる、前記導入管路への熱動弁の設置の要否を、前記表示部に表示させる表示制御手段を有するものである。
【０００７】
また、請求項２では、前記リモコン装置は、前記操作部を介した、前記熱交換端末の種類の入力を受け付ける端末種類受付手段と、前記操作部を介した、前記種類受付手段で入力を受け付けた前記熱交換端末に対する前記リモコン装置の前記制御態様の選択を受け付ける制御態様受付手段と、前記制御態様受付手段で受け受けた選択結果に応じ、前記導入管路への熱動弁の設置の要否を各熱交換端末ごとにそれぞれ判定する判定手段と、を有し、前記表示制御手段は、前記判定手段による判定結果を前記表示部に表示させるものである。
【０００８】
また、請求項３では、前記端末種類受付手段は、前記熱交換端末が、前記冷水及び温水を用いて前記室内側空気との吸熱及び放熱を実行可能な冷温水端末、前記温水を用いて前記室内側空気に対し放熱を行う暖房端末、前記温水を用いて室内の床暖房を行う床暖房端末、及び、前記温水を用いて前記室内側空気に対し放熱を行う熱動弁内蔵型の暖房端末、のいずれであるかの入力を受け付け、前記制御態様受付手段は、前記種類受付手段で入力を受け付けた前記熱交換端末に対し、１つの前記リモコン装置により当該熱交換端末のみの個別制御を行うのか、１つの前記リモコン装置により他の熱交換端末と併せた一括制御を行うのか、の選択を受け付けるものである。
【０００９】
また、請求項４では、前記判定手段は、前記少なくとも１つの熱交換端末に、前記個別制御が行われる端末が含まれるか否かに応じて、前記熱動弁の設置の要否を判定するものである。
【００１０】
また、請求項５では、前記判定手段は、複数の前記熱交換端末に、前記冷温水端末と、前記暖房端末、前記床暖房端末、前記熱動弁内蔵型の暖房端末のうちいずれか１つと、が含まれるか否かに応じて、前記熱動弁の設置の要否を判定するものである。
【００１１】
また、請求項６では、前記判定手段は、複数の前記熱交換端末に、前記熱動弁内蔵型の暖房端末とそれ以外の端末との両方が含まれるか否かに応じて、前記熱動弁の設置の要否を判定するものである。
【００１２】
また、請求項７では、複数の前記熱交換端末それぞれに対応した複数の前記導入管路に対し共通に設けられる１つの往きヘッダと、複数の前記熱交換端末それぞれに対応した複数の前記導出管路に対し共通に設けられる１つの戻りヘッダと、を有し、前記複数の導入管路は、前記往きヘッダよりも上流側は１つの共通往き管として構成されるとともに、前記往きヘッダよりも下流側は前記複数の熱交換端末へそれぞれ向かう複数の個別往き管として構成されており、前記複数の導出管路は、前記戻りヘッダよりも上流側は前記複数の熱交換端末それぞれからの複数の個別戻り管として構成されるとともに、前記戻りヘッダよりも下流側は１つの共通戻り管として構成されており、設置される前記熱動弁は、対応する前記個別往き管に対し、当該個別往き管を開閉可能に配置されるものである。
【発明の効果】
【００１３】
この発明の請求項１によれば、室外機の水熱交換器に対し、少なくとも１つの熱交換端末のそれぞれが、導入管路及び導出管路を介して接続されて、冷温水冷暖房システムが構築される。熱交換端末で冷房運転が行われる場合は、ヒートポンプ装置からの冷媒により前記水熱交換器において生成された冷水が、前記導入管路を介して前記熱交換端末へと供給される。熱交換端末で暖房運転が行われる場合は、ヒートポンプ装置からの冷媒により前記水熱交換器において生成された温水が、前記導入管路を介して前記熱交換端末へと供給される。
【００１４】
ここで、前記熱交換端末としては、例えば、前記冷水及び前記温水を用いて室内空気に対し吸熱及び放熱を行い冷暖房両方を実行可能な冷温水端末（いわゆる冷温水パネル）や、前記温水を用いて室内空気に放熱し暖房のみを行う暖房端末（いわゆる暖房パネル）や、前記温水を用いて室内の床暖房を行う床暖房端末（いわゆる床暖房パネル）や、前記温水を用いて室内空気に放熱し暖房のみを行う熱動弁内蔵型の暖房端末（いわゆるルームヒータ）等がある。
【００１５】
請求項１の冷温水冷暖房システムでは、このような種類の異なる熱交換端末が室外機の水熱交換器に接続され得ることから、場合によっては、特定の熱交換端末への前記導入管路に熱動弁を設置し、この熱動弁によって当該導入管路を適宜に開閉制御する必要が生じることがある。
【００１６】
例えば、複数の熱交換端末の中の１つの端末に対し専用のリモコン装置によって個別制御が行われる場合には、当該個別制御の実行時には他の端末への導入管路を熱動弁によって閉じ、冷水又は温水の供給を停止する必要がある。また例えば、複数の熱交換端末の中に、冷暖房両方が行える前記冷温水端末と、暖房のみが行える端末（前記暖房端末・前記床暖房端末・前記熱動弁内蔵型の暖房端末等）とが混在する場合には、冷房運転時には、冷温水端末以外の他の端末への導入管路を熱動弁によって閉じ、冷水の供給を停止する必要がある。さらに例えば、複数の熱交換端末の中に前記熱動弁内蔵型の暖房端末が含まれる場合、当該暖房端末において内蔵熱動弁を操作することで個別に暖房運転制御が可能であるため、当該熱動弁内蔵型の暖房端末への導入管路に熱動弁を設ける必要はない。しかしながら、当該熱動弁内蔵型暖房端末のみの運転時には、他の端末への導入管路を熱動弁によって閉じて温水の供給を停止する必要がある。
【００１７】
上記のように、熱動弁の要否及び設置必要箇所は、前記熱交換端末の数・種類や、前記リモコン装置の数・制御態様に応じて多種多様なパターンに分かれる。そこで、請求項１によれば、リモコン装置の表示制御手段の制御により、表示部において、各熱交換端末ごとに定まる前記導入管路への熱動弁の設置の要否が表示される。
【００１８】
これにより、例えば冷温水冷暖房システム施工後のメンテナンス時やサービス時において、各熱交換端末に対し必要な熱動弁が正しく設置されているかどうかを、容易に確認することができる。また施工前に、施工ミスがないように上記の表示を行わせることも可能である。
【００１９】
また、請求項２によれば、操作者が、前記熱交換端末の種類を入力し、さらにそれぞれの端末に対するリモコン装置の制御態様を選択することで、各端末ごとに熱動弁設置の要否が判定され、表示部に表示される。このように、操作者が所定の順序で入力・選択を行うだけで判定結果が表示されるので、熱動弁の要否を確実に容易に確認でき、利便性を向上することができる。
【００２０】
また、請求項３によれば、前記熱交換端末の種類が、冷温水端末、暖房端末、床暖房端末、熱動弁内蔵型暖房端末のいずれであるかを入力し、さらにそれぞれの端末に対してリモコン装置の個別制御を行うのか一括制御を行うのかを選択することで、各端末ごとに前記判定結果が表示される。これにより、各端末ごとの熱動弁の要否をさらに確実に確認することができる。
【００２１】
また、請求項４によれば、例えば複数の熱交換端末中に個別制御の端末が含まれる場合に、当該個別制御実行時には他の端末への冷水又は温水の供給を停止する必要があり前記熱動弁設置の必要性があることを、確実に報知することができる。
【００２２】
また、請求項５によれば、複数の熱交換端末中に冷暖房兼用端末である冷温水端末と暖房専用端末（暖房端末、床暖房端末、熱動弁内蔵型暖房端末）とが混在する場合に、冷房運転時には前記暖房専用端末への冷水の供給を停止する必要があり前記熱動弁設置の必要性があることを、確実に報知することができる。
【００２３】
また、請求項６によれば、複数の熱交換端末中に熱動弁内蔵型暖房端末とそれ以外の端末とが混在する場合に、当該熱動弁内蔵型暖房端末のみの運転時には他の端末への温水の供給を停止する必要があり前記熱動弁設置の必要性があることを、確実に報知することができる。
【００２４】
また、請求項７によれば、導入管路の上流側が、往きヘッダを用いて１つの共通往き管として構成されている場合に、往きヘッダよりも下流側に位置する複数の個別往き管においてそれぞれ必要に応じて熱動弁を設けることで、個別往き管をそれぞれ個別に閉じて前記温水又は前記冷水の供給を停止することができる。
【図面の簡単な説明】
【００２５】
【図１】本発明の一実施形態の冷温水冷暖房システムの全体概略構成を示す図
【図２】室外機の冷房・暖房運転時における冷凍サイクルを模式的に表した図
【図３】メインリモコン装置の外観構造を表す図
【図４】熱交換端末の数・種類及びリモコン装置の数・制御態様の各パターン別の、熱動弁の要否及び設置必要箇所を表すテーブル
【図５】パターン番号５の冷温水冷暖房システムの全体概略構成を示す図
【図６】パターン番号１３の冷温水冷暖房システムの全体概略構成を示す図
【図７】パターン番号１４の冷温水冷暖房システムの全体概略構成を示す図
【図８】パターン番号１８の冷温水冷暖房システムの全体概略構成を示す図
【図９】メインリモコン装置の表示部に表示される内容を表す図
【図１０】メインリモコン装置の表示部に表示される内容を表す図
【図１１】メインリモコン装置の表示部に表示される内容を表す図
【図１２】メインリモコン装置の表示部に表示される内容を表す図
【図１３】メインリモコン装置の表示部に表示される内容を表す図
【図１４】メインリモコン装置の表示部に表示される内容を表す図
【図１５】メインリモコン装置の表示部に表示される内容を表す図
【図１６】メインリモコン装置の表示部に表示される内容を表す図
【図１７】メインリモコン装置の表示部に表示される内容を表す図
【図１８】メインリモコン装置の表示部に表示される内容を表す図
【図１９】メインリモコン装置の表示部に表示される内容を表す図
【図２０】メインリモコン装置の表示部に表示される内容を表す図
【図２１】メインリモコン装置の表示部に表示される内容を表す図
【図２２】メインリモコン装置のＣＰＵが実行する制御手順を示すフローチャート図
【発明を実施するための形態】
【００２６】
以下、本発明の一実施の形態を図１〜図２２に基づいて説明する。
【００２７】
本実施形態の冷温水冷暖房システムの全体概略構成を図１に示す。図１において、この冷温水冷暖房システム１００は、室外に設置される室外機１と、この室外機１と冷温水往き管２及び冷温水戻り管３を介して接続されて室内に設置される、複数の熱交換端末（この例では、冷温水パネル５１、暖房パネル５２、床暖房パネル５３、の３つ）とを有する。
【００２８】
この例では、前記冷温水パネル５１はＡ室、Ｂ室、Ｃ室からなる３室構造のうち前記Ａ室に配置されており、前記暖房パネル５２は前記Ｂ室に配置されており、前記床暖房パネル５３は前記Ｃ室に配置されている。このとき、前記室外機１から延びる前記冷温水往き管２の途中に１つの往きヘッダ９１が設けられており、冷温水往き管２のうち前記往きヘッダ９１より上流側部分は、１つの共通往き管２Ａとして構成され、前記室外機１からの冷温水が供給される。そして、冷温水往き管２のうち前記往きヘッダ９１より下流側部分は、前記冷温水パネル５１への往き管２Ｂ１と、前記暖房パネル５２への往き管２Ｂ２と、前記床暖房パネル５３への往き管２Ｂ３と、に分かれている。なお、前記往き管２Ｂ１，２Ｂ２，２Ｂ３が各請求項記載の個別往き管に相当し、前記共通往き管２Ａと往き管２Ｂ１とが前記冷温水パネル５１への導入管路に相当し、前記共通往き管２Ａと往き管２Ｂ２とが前記暖房パネル５２への導入管路に相当し、前記共通往き管２Ａと往き管２Ｂ３とが前記床暖房パネル５３への導入管路に相当している。同様に、前記室外機１へと延びる前記冷温水戻り管３の途中に１つの戻りヘッダ９２が設けられており、冷温水戻り管３のうち前記戻りヘッダ９２より上流側部分は、前記冷温水パネル５１からの戻り管３Ｂ１と、前記暖房パネル５２からの戻り管３Ｂ２と、前記床暖房パネル５３からの戻り管３Ｂ３と、に分かれている。そして、冷温水戻り管３のうち前記戻りヘッダ９２より下流側部分は、１つの共通戻り管３Ａとして構成され、前記戻り管３Ｂ１，３Ｂ２，３Ｂ３を介し導入された冷温水を前記室外機１へと戻す。なお、前記戻り管３Ｂ１，３Ｂ２，３Ｂ３が各請求項記載の個別戻り管に相当し、前記共通戻り管３Ａと戻り管３Ｂ１とが前記冷温水パネル５１からの導出管路に相当し、前記共通戻り管３Ａと戻り管３Ｂ２とが前記暖房パネル５２からの導出管路に相当し、前記共通戻り管３Ａと戻り管３Ｂ３とが前記床暖房パネル５３からの導出管路に相当している。
【００２９】
そして、前記冷温水パネル５１への往き管２Ｂ１、前記暖房パネル５２への往き管２Ｂ２、及び、前記床暖房パネル５３への往き管２Ｂ３には、熱動弁コントローラＣＶからの駆動信号により各往き管を開閉可能な熱動弁Ｖ１，Ｖ２，Ｖ３がそれぞれ設けられている。この例では、前記Ａ室には、前記冷温水パネル５１の吸熱（冷房）及び放熱（暖房）運転操作と前記暖房パネル５２及び床暖房パネル５３の放熱（暖房）運転操作を行うためのメインリモコン装置ＲＭが設けられており、前記Ｂ室には前記暖房パネル５２の放熱（暖房）運転操作を行うための端末用リモコン装置ＲＡが設けられており、前記Ｃ室には前記床暖房パネル５３の放熱（暖房）運転操作を行うための端末用リモコン装置ＲＢが設けられている。
【００３０】
前記メインリモコン装置ＲＭでの操作に対応して出力される制御信号ＳＳ１は、前記室外機１の制御を行う室外機制御部（後述）へと入力され、これによって前記共通往き管２Ａへ供給される冷温水の流量や温度等が制御されるとともに、さらにこれに対応して前記室外機制御部から前記熱動弁コントローラＣＶに制御信号ＳＳ２が出力され、これに応じて熱動弁コントローラＣＶから出力される制御信号Ｓ１，Ｓ２，Ｓ３によって各熱動弁Ｖ１，Ｖ２，Ｖ３の開閉動作が制御される。これにより、前記メインリモコン装置ＲＭを適宜に操作することで、前記冷温水パネル５１、前記暖房パネル５２、及び前記床暖房パネル５３の運転状態を一括して制御可能となる（以下適宜、このような制御態様を「一括制御」と称する）。また、前記端末用リモコン装置ＲＡでの操作に対応して出力される制御信号Ｓａは前記熱動弁コントローラＣＶへと入力され、これに応じて熱動弁コントローラＣＶから出力される制御信号Ｓ２によって前記熱動弁Ｖ２の開閉動作が制御される。これにより、前記端末用リモコン装置ＲＡを適宜に操作することで前記前記暖房パネル５２の運転状態を個別に制御可能となる（以下適宜、このような制御態様を「個別制御」と称する）。また、前記端末用リモコン装置ＲＢでの操作に対応して出力される制御信号Ｓｂは前記熱動弁コントローラＣＶへと入力され、これに応じて熱動弁コントローラＣＶから出力される制御信号Ｓ３によって前記熱動弁Ｖ３の開閉動作が制御される。これにより、前記端末用リモコン装置ＲＢを適宜に操作することで前記床暖房パネル５３の運転状態を個別に制御可能となる。
【００３１】
次に、前記室外機１の概略的なシステム構成を図２（ａ）に示す。図２（ａ）において、室外機１は、例えばＨＦＣなどの合成化合ガスを冷媒として循環させ室外での吸放熱を行う冷媒循環回路２１と、例えば不凍液などを冷温水として循環させ前記複数の熱交換端末（前記の例では、冷温水パネル５１、暖房パネル５２、床暖房パネル５３の３つ）での吸放熱を行う、（前記冷温水往き管２及び前記冷温水戻り管３からなる）冷温水循環回路２２と、の間における熱交換を行うものである。
【００３２】
すなわち、前記冷媒循環回路２１は、前記室外機１に備えられた、前記冷媒の循環方向を切り替える四方弁６と、前記冷媒を圧縮する圧縮機７と、前記冷媒と外気との熱交換を行う室外熱交換器８（空気熱交換器に相当）と、前記冷媒を減圧膨張させる膨張弁９と、前記冷温水往き管２及び前記冷温水戻り管３を循環する前記冷温水と前記冷媒との熱交換を行う水−冷媒熱交換器１１（水熱交換器に相当）とを、冷媒配管１５で接続して形成されている。なお、前記冷媒配管１５で互いに接続された前記四方弁６、前記圧縮機７、前記室外熱交換器８、前記膨張弁９によってヒートポンプ装置が構成されている。また、前記室外熱交換器８に送風する室外ファン１０がさらに設けられている。
【００３３】
前記四方弁６は４つのポートを備える弁であり、（前記冷媒配管１５の一部を構成する）冷媒主経路１５ａ用の２つのポートのそれぞれに対して、（前記冷媒配管１５の一部を構成する）他の冷媒副経路１５ｂ用の２つのポートのいずれに接続するかを切り替える。冷媒副経路１５ｂ用の２つのポートどうしはループ状に配置された冷媒副経路１５ｂで接続されており、この冷媒副経路１５ｂ上に前記圧縮機７が設けられている。
【００３４】
前記圧縮機７は、低圧ガス状態の冷媒を昇圧して高圧ガス状態にするとともに、室外機１内における冷媒配管１５全体の冷媒を循環させるポンプとしても機能する。
【００３５】
また、前記四方弁６の冷媒主経路１５ａ用の２つのポートどうしは、ループ状に配置された前記冷媒主経路１５ａで接続されており、この冷媒主経路１５ａ上に前記室外熱交換器８、前記膨張弁９、及び前記水−冷媒交換器１１が順に（図２（ａ）に示す例では冷媒主経路１５ａ左回りの順に）設けられている。
【００３６】
前記室外熱交換器８は、その内部を通過するガス状態の前記冷媒の温度が室外の外気温度より高い場合は、その冷媒の熱を放熱して液体状態に凝縮させる凝縮器として機能する。また、その内部を通過する液体状態の前記冷媒の温度が室外の外気温度より低い場合は外気の熱を冷媒に吸熱してガス状態に蒸発させる蒸発器として機能する（後述の図２（ｂ）参照）。
【００３７】
前記室外ファン１０は、前記室外熱交換器８に対して送風することで、室外熱交換器８の性能を向上させる。
【００３８】
前記膨張弁９は、高圧液体状態の前記冷媒を減圧膨張させて低圧液体状態とするよう機能する。
【００３９】
水−冷媒熱交換器１１は、前記のように冷媒主経路１５ａに接続されてその内部に冷媒を通過させるとともに、前記冷温水往き管２及び前記冷温水戻り管３にも接続されてその内部に冷温水を通過させる。水−冷媒熱交換器１１の内部を通過する液体状態の冷媒の温度が前記冷温水の温度より低い場合は、冷媒に対して冷温水の熱を吸熱しガス状態に蒸発させる蒸発器として機能する。また、水−冷媒熱交換器１１の内部を通過するガス状態の冷媒の温度が冷温水の温度より高い場合は、冷媒に対してその熱を冷温水に放熱し液体状態に凝縮させる凝縮器として機能する（後述の図２（ｂ）参照）。
【００４０】
一方、前記冷温水循環回路２２は、前記室外機１に備えられた、前記水−冷媒熱交換器１１、前記冷温水に循環圧力を加える循環ポンプ１２、及びシスターンタンク１３と、前記複数の熱交換端末（前記の例では、冷温水パネル５１、暖房パネル５２、床暖房パネル５３の３つ）を、前記冷温水往き管２及び前記冷温水戻り管３で接続して形成されている。
【００４１】
前記水−冷媒熱交換器１１は、前記冷温水往き管２及び前記冷温水戻り管３に接続されており、前記冷温水戻り管３上に、前記シスターンタンク１３及び前記循環ポンプ１２が設けられている。
【００４２】
前記シスターンタンク１３は、キャビテーションなどで冷温水中に生じた気泡の分離（気水分離機能）と、前記冷温水循環回路２２における膨張冷温水の吸収及び冷温水の補給を行う。
【００４３】
前記循環ポンプ１２は、前記冷温水往き管２及び前記冷温水戻り管３全体に冷温水を循環させるよう機能する。
【００４４】
なお、このとき、室外機１は、当該室外機１の制御を行う室外機制御部ＣＵを備えている。この室外機制御部は、主にＣＰＵ、ＲＯＭ、ＲＡＭ等を備えたマイクロコンピュータで構成され、前記メインリモコン装置ＲＭからの前記制御信号ＳＳ１に基づいて室外機１全体の制御を行うとともに、対応する前記制御信号ＳＳ２を前記熱動弁コントローラＣＶに出力する。
【００４５】
上記構成の冷媒循環回路２１において、前記圧縮機７は冷媒副経路１５ｂ上において一方向に冷媒を循環させるものであり、前記四方弁６の切り替えによって冷媒主経路１５ａ上の冷媒の循環方向を制御する。前記図２（ａ）は冷房運転時の循環方向を示しており、圧縮機７から吐出した冷媒が室外熱交換器８、膨張弁９、水−冷媒熱交換器１１の順で流通する。これにより、低温・低圧で吸入されたガス状態の冷媒が前記圧縮機７で圧縮されて高温・高圧のガスとなった後、前記室外熱交換器８（凝縮器として機能）において前記室外ファン１０の送風で冷却されることで外気に熱を放出しながら高圧の液体に変化する。こうして液体になった冷媒は前記膨張弁９で減圧されて低圧の液体となり蒸発しやすい状態となる。その後、低圧の液体が前記水−冷媒熱交換器１１（蒸発器として機能）において蒸発してガスに変化することで前記冷温水戻り管３からの冷水から吸熱を行う。そして冷媒は、低温・低圧のガスとして再び前記圧縮機７へと戻る。
【００４６】
このとき、前記のようにして水−冷媒熱交換器１１で冷却された冷水は、冷温水往き管２から前記複数の熱交換端末（前記の例では、冷温水パネル５１、暖房パネル５２、床暖房パネル５３の３つ）のうち前記冷温水パネル５１に供給されて室内空気から吸熱して室内を冷却し、その後に前記シスターンタンク１３を通過して再び前記循環ポンプ１２へ戻る。以上のような冷媒循環回路２１の冷凍サイクルと冷温水循環回路２２との間で熱交換を行うことにより、室内空気の温度を下げる冷房運転が行われる。
【００４７】
一方、図２（ｂ）は暖房運転時の循環方向を示しており、圧縮機７から吐出した冷媒が水−冷媒熱交換器１１、膨張弁９、室外熱交換器８の順で流通する。これにより、低温・低圧で吸入されたガス状態の冷媒が前記圧縮機７で圧縮されて高温・高圧のガスとなった後、前記水−冷媒熱交換器１１（凝縮器として機能）において前記冷温水戻り管３からの温水に熱を放出しながら高圧の液体に変化する。こうして液体になった冷媒は前記膨張弁９で減圧されて低圧の液体となり蒸発しやすい状態となる。その後、低圧の液体が前記室外熱交換器８（蒸発器として機能）において蒸発してガスに変化することで外気から吸熱する。そして冷媒は、低温・低圧のガスとして再び前記圧縮機７へと戻る。
【００４８】
このとき、前記のようにして水−冷媒熱交換器１１で加熱された温水は、冷温水往き管２から前記複数の熱交換端末（前記の例では、冷温水パネル５１、暖房パネル５２、床暖房パネル５３の３つ）のうち少なくとも１つに供給されて室内空気に放熱して室内を加温し、その後に前記シスターンタンク１３を通過して再び前記循環ポンプ１２へ戻る。以上のような冷媒循環回路２１の冷凍サイクルと冷温水循環回路２２との間で熱交換を行うことにより、室内空気の温度を上げる暖房運転が行われる。
【００４９】
次に、前記メインリモコン装置ＲＭの詳細について、説明する。図３にメインリモコン装置ＲＭの外観を示す。図３において、メインリモコン装置ＲＭには、前記複数の熱交換端末（前記図１に示した例では、冷温水パネル５１、暖房パネル５２、床暖房パネル５３）の運転状態や各種設定状態を表示可能な表示部２０１と、メインリモコン装置ＲＭ自体の電源をＯＮ・ＯＦＦするための「電源」ボタン２０２と、前記熱交換端末の運転開始を指示するための「運転」ボタン２０３と、前記熱交換端末に対しタイマーによる運転を指示するための「タイマー」ボタン２０４と、前記熱交換端末の運転態様の切替を指示する「運転切替」ボタン２０５と、適宜の節電運転等のガイドを行うための「ｅｃｏガイド」ボタン２０６と、画面表示を１つ前の画面に戻すための「戻る」ボタン２０７と、「メニュー／決定」ボタン２０８と、上下左右方向への十字キー２０９と、が備えられている。このとき、前記「電源」ボタン２０２、前記「運転」ボタン２０３、前記「タイマー」ボタン２０４、前記「運転切替」ボタン２０５、前記「戻る」ボタン２０７と、前記「メニュー／決定」ボタン２０８、及び、前記十字キー２０９が、各請求項記載の操作部に相当している。なお、図示を省略しているが、リモコン装置ＲＭには、後述する各種の表示を行うための、演算部としてのＣＰＵや記憶部としてのメモリ等が内蔵されている。
【００５０】
ここで、本実施形態では、操作者による適宜の操作（詳細は後述）により、前記表示部２０１において、前記冷温水冷暖房システム１００に備えられているすべての熱交換端末（図１に示した例では、前記冷温水パネル５１、前記暖房パネル５２、前記床暖房パネル５３、の３つ）の数及び種類と、各熱交換端末を制御するために備えられるリモコン装置（図１に示した例では、前記メインリモコン装置ＲＭ、前記端末用リモコン装置Ｒ１、前記端末用リモコン装置Ｒ２の３つ）の数及びそれぞれの行う制御態様（後述）と、それらに対応して定まる各熱交換端末それぞれへの前記冷温水往き管（図１に示した例では、冷温水パネル５１への前記往き管２Ｂ１、暖房パネル５２への前記往き管２Ｂ２、床暖房パネル５３への前記往き管２Ｂ３、の３つ）に対する熱動弁（図１に示した例では、往き管２Ｂ１の前記熱動弁Ｖ１、往き管２Ｂ２の前記熱動弁Ｖ２、往き管２Ｂ３の前記熱動弁Ｖ３）の設置の要否、が表示される。
【００５１】
次に、前記メインリモコン装置ＲＭが、前記のような機能を備える背景を説明する。本実施形態の冷温水冷暖房システム１００は、前記したように、前記冷水及び前記温水を用いて室内空気に対し吸熱及び放熱を行い冷暖房両方を実行可能な前記冷温水パネル５１（冷温水端末に相当）と、前記温水を用いて室内空気に放熱し暖房のみを行う前記暖房パネル５２（暖房端末に相当）と、前記温水を用いて室内の床暖房を行う前記床暖房パネル５３（床暖房端末に相当）とを備えている。なお、上記以外に、前記温水を用いて室内空気に放熱し暖房のみを行う熱動弁内蔵型の暖房端末である、温水ルームヒータ等を用いても良い（後述の図８参照）。
【００５２】
一般に、この種の冷温水冷暖房システムでは、（本実施形態の冷温水冷暖房システム１００のように）種類の異なる複数の熱交換端末が室外機の水−冷媒熱交換器に接続され得るものである。このため、場合によっては、（本実施形態のように）特定の熱交換端末への前記往き管に前記熱動弁を設置し、当該往き管を適宜に開閉制御する必要が生じる。この熱動弁設置が必要になる条件は、以下の３つである。
【００５３】
（ｉ）個別制御の熱交換端末がある場合
例えば、複数の熱交換端末の中の１つの端末に対し専用のリモコン装置によって個別制御が行われる場合には、当該個別制御の実行時には他の端末への導入管路を熱動弁によって閉じ、冷水又は温水の供給を停止する必要がある。本実施形態では、前記端末用リモコン装置ＲＡ，ＲＢにより暖房パネル５２及び床暖房パネル５３の個別制御が行われており、この条件に該当している。
【００５４】
（ｉｉ）冷温水端末と暖房専用端末が混在する場合
また例えば、複数の熱交換端末の中に、冷暖房両方が行える冷温水端末と、暖房のみが行える暖房専用端末（暖房端末・床暖房端末・熱動弁内蔵型の暖房端末等）とが混在する場合には、例えば冷房運転時には、冷温水端末以外の他の端末への導入管路を熱動弁によって閉じ、冷水の供給を停止する必要がある。本実施形態では、前記冷温水端末である冷温水パネル５１と、前記暖房専用端末である暖房パネル５２及び床暖房パネル５３とが混在しており、この条件にも該当している。
【００５５】
（ｉｉｉ）熱動弁内蔵型暖房端末と他端末とが混在する場合
さらに例えば、複数の熱交換端末の中に前記熱動弁内蔵型の暖房端末が含まれる場合、当該暖房端末において内蔵熱動弁を操作することで個別に暖房運転制御が可能であるため、当該熱動弁内蔵型の暖房端末への導入管路に熱動弁を設ける必要はない。しかしながら、例えば、当該熱動弁内蔵型暖房端末のみの運転時には、他の端末への導入管路を熱動弁によって閉じて温水の供給を停止する必要がある（後述の図８参照）。
【００５６】
上記のように、熱動弁の要否及び設置必要箇所は、前記熱交換端末の数・種類や、前記リモコン装置の数・制御態様に応じて多種多様なパターンに分かれる。そのようなパターンの例を、図４に示す。
【００５７】
図４において、例えばパターン番号１に示す構成では、前記熱交換端末として、２つの冷温水パネル（第１冷温水パネル）が設けられ、リモコン装置としては、当該２つの第１冷温水パネルに対しそれぞれ前記個別制御を行う２つの端末用リモコン装置が設けられている。この場合、前述の条件（ｉ）に該当するため、当該２つの第１冷温水パネルへの往き管それぞれに、熱動弁が必要となる。
【００５８】
また、例えばパターン番号２に示す構成では、前記熱交換端末として、２つの冷温水パネル（第２冷温水パネル）が設けられ、前記一括制御を行うメインリモコン装置によって当該２つの第２冷温水パネルが制御される。この場合、前述の条件（ｉ）（ｉｉ）（ｉｉｉ）のいずれにも該当しないため、熱動弁は一切不要となる。
【００５９】
また、例えばパターン番号３に示す構成では、前記熱交換端末として、２つの冷温水パネル（第１冷温水パネル及び第２冷温水パネル）が設けられ、前記一括制御を行うメインリモコン装置によって前記第２冷温水パネルが制御されるとともに、前記第１冷温水パネルに対しては端末用リモコン装置によって前記個別制御が行われる。この場合、前述の条件（ｉ）に該当するため、第１冷温水パネルへの往き管と第２冷温水パネルへの往き管との両方に、熱動弁が必要となる。
【００６０】
また、例えばパターン番号４に示す構成では、前記熱交換端末として、１つの冷温水パネル（第１冷温水パネル）と１つの暖房パネル（第１暖房パネル）とが設けられ、前記第１冷温水パネルに対し端末用リモコン装置によって前記個別制御が行われるとともに、前記第１暖房パネルに対しても端末用リモコン装置によって前記個別制御が行われる。この場合、前述の条件（ｉ）（ｉｉｉｉ）に該当するため、第１冷温水パネルへの往き管と第１暖房パネルへの往き管との両方に、熱動弁が必要となる。
【００６１】
また、パターン番号５に示す構成を、図５に示す。この例では、前記熱交換端末として、２つの冷温水パネル５４，５５（第２冷温水パネル）と１つの暖房パネル５６（第２暖房パネル）とが設けられ、前記冷温水パネル５４，５５はそれぞれ前記Ａ室及び前記Ｂ室に配置されており、前記暖房パネル５６は前記Ｃ室に配置されている。前記往きヘッダ９１からの前記往き管２Ｂ１，２Ｂ２はそれぞれ前記冷温水パネル５４，５５へ延び、前記往き管２Ｂ３は前記暖房パネル５６へ延びている。これに対応して、前記戻り管３Ｂ１，３Ｂ２が前記冷温水パネル５４，５５から、前記戻り管３Ｂ３が前記暖房パネル５６から前記戻りヘッダ９２へと延びている。そして、前記一括制御を行うメインリモコン装置ＲＭによってこれら冷温水パネル５４，５５及び暖房パネル５６が制御される。この場合、図４に示すように前述の条件（ｉｉｉｉ）に該当するため、暖房パネル５６への前記往き管２Ｂ３に熱動弁Ｖ６が必要となって前記熱動弁コントローラＣＶからの駆動信号Ｓ６によって開閉制御される一方、冷温水パネル５４，５５への前記往き管２Ｂ１，２Ｂ２には熱動弁は不要となる。
【００６２】
図４に戻り、また、例えばパターン番号６に示す構成では、前記熱交換端末として、１つの冷温水パネル（第２冷温水パネル）と１つの暖房パネル（第１暖房パネル）とが設けられ、前記一括制御を行うメインリモコン装置によって前記第２冷温水パネルが制御されるとともに、前記第１暖房パネルに対して端末用リモコン装置によって前記個別制御が行われる。この場合、前述の条件（ｉ）（ｉｉ）に該当するため、第２冷温水パネルへの往き管と第１暖房パネルへの往き管との両方に、熱動弁が必要となる。
【００６３】
また、例えばパターン番号７に示す構成では、前記熱交換端末として、１つの冷温水パネル（第１冷温水パネル）と１つの暖房パネル（第２暖房パネル）とが設けられ、前記一括制御を行うメインリモコン装置によって前記第２暖房パネルが制御されるとともに、前記第１冷温水パネルに対して端末用リモコン装置によって前記個別制御が行われる。この場合、前述の条件（ｉ）（ｉｉ）に該当するため、第２暖房パネルへの往き管と第１冷温水パネルへの往き管との両方に、熱動弁が必要となる。
【００６４】
また、例えばパターン番号８に示す構成では、前記熱交換端末として、１つの冷温水パネル（第１冷温水パネル）と１つの床暖房パネルとが設けられ、前記第１冷温水パネルに対して端末用リモコン装置によって前記個別制御が行われるとともに、前記床暖房パネルに対しても端末用リモコン装置によって前記個別制御が行われる。この場合、前述の条件（ｉ）（ｉｉ）に該当するため、第１冷温水パネルへの往き管と床暖房パネルへの往き管との両方に、熱動弁が必要となる。
【００６５】
また、例えばパターン番号９に示す構成では、前記熱交換端末として、１つの冷温水パネル（第２冷温水パネル）と１つの床暖房パネルとが設けられ、前記一括制御を行うメインリモコン装置によって前記第２冷温水パネルが制御されるとともに、前記床暖房パネルに対して端末用リモコン装置によって前記個別制御が行われる。この場合、前述の条件（ｉ）（ｉｉ）に該当するため、第２冷温水パネルへの往き管と床暖房パネルへの往き管との両方に、熱動弁が必要となる。
【００６６】
また、例えばパターン番号１０に示す構成では、前記熱交換端末として、１つの冷温水パネル（第１冷温水パネル）と１つの温水ルームヒータとが設けられ、前記第１冷温水パネルに対して端末用リモコン装置によって前記個別制御が行われる（前記温水ルームヒータでは自らに備えられる操作部により制御が行われる）。この場合、前述の条件（ｉ）（ｉｉ）（ｉｉｉ）すべてに該当し、第１冷温水パネルへの往き管と温水ルームヒータへの往き管との両方に、熱動弁が必要となる。
【００６７】
また、例えばパターン番号１１に示す構成では、前記熱交換端末として、１つの冷温水パネル（第２冷温水パネル）と１つの温水ルームヒータとが設けられ、前記一括制御を行うメインリモコン装置によって前記第２冷温水パネルが制御される（前記温水ルームヒータでは自らに備えられる操作部により制御が行われる）。この場合、前述の条件（ｉｉ）（ｉｉｉ）に該当し、第２冷温水パネルへの往き管と温水ルームヒータへの往き管との両方に、熱動弁が必要となる。
【００６８】
また、例えばパターン番号１２に示す構成では、前記熱交換端末として、２つの暖房パネル（第１暖房パネル）が設けられ、リモコン装置としては、当該２つの第１暖房パネルに対しそれぞれ前記個別制御を行う２つの端末用リモコン装置が設けられている。この場合、前述の条件（ｉ）に該当するため、当該２つの第１暖房パネルへの往き管それぞれに、熱動弁が必要となる。
【００６９】
また、パターン番号１３に示す構成を、図６に示す。この例では、前記熱交換端末として、３つの暖房パネル５７，５８，５９（第２暖房パネル）が設けられ、前記暖房パネル５７，５８，５９は前記Ａ室、前記Ｂ室、前記Ｃ室にそれぞれ配置されている。前記往きヘッダ９１からの前記往き管２Ｂ１，２Ｂ２，２Ｂ３はそれぞれ前記暖房パネル５７，５８，５９へ延びている。これに対応して、前記戻り管３Ｂ１，３Ｂ２，３Ｂ３が前記暖房パネル５７，５８，５９から前記戻りヘッダ９２へと延びている。そして、前記一括制御を行うメインリモコン装置ＲＭによってこれら暖房パネル５７，５８，５９が制御される。この場合、前述の条件（ｉ）（ｉｉ）（ｉｉｉ）のいずれにも該当しないため、熱動弁は一切不要となる。
【００７０】
また、パターン番号１４に示す構成を、図７に示す。この例では、前記熱交換端末として、１つの暖房パネル６２（第１暖房パネル）と２つの暖房パネル６０，６１（第２暖房パネル）が設けられ、それら暖房パネル６０，６１，６２は前記Ａ室、前記Ｂ室、前記Ｃ室にそれぞれ配置されている。前記往きヘッダ９１からの前記往き管２Ｂ１，２Ｂ２，２Ｂ３はそれぞれ前記暖房パネル６０，６１，６２へ延びている。これに対応して、前記戻り管３Ｂ１，３Ｂ２，３Ｂ３が前記暖房パネル６０，６１，６２から前記戻りヘッダ９２へと延びている。そして、前記一括制御を行うメインリモコン装置ＲＭによって２つの前記第２暖房パネル６０，６１が制御されるとともに、１つの前記第１暖房パネル６２に対して端末用リモコン装置ＲＢによって前記個別制御が行われる。この場合、前述の条件（ｉ）に該当するため、各暖房パネル６０，６１，６２への往き管２Ｂ１，２Ｂ２，２Ｂ３それぞれに熱動弁Ｖ１，Ｖ２，Ｖ３が必要となり、前記端末用リモコン装置ＲＢからの制御信号Ｓｂ及び前記室外機制御部ＣＵからの制御信号ＳＳ２に基づく熱動弁コントローラＣＶからの制御信号Ｓ１，Ｓ２，Ｓ３によって、前記熱動弁Ｖ１，Ｖ２，Ｖ３がそれぞれ開閉制御される。
【００７１】
図４に戻り、また、例えばパターン番号１５に示す構成では、前記熱交換端末として、１つの暖房パネル（第１暖房パネル）と１つの床暖房パネルとが設けられ、前記第１暖房パネルに対して端末用リモコン装置によって前記個別制御が行われるとともに、前記床暖房パネルに対しても端末用リモコン装置によって前記個別制御が行われる。この場合、前述の条件（ｉ）に該当するため、第１暖房パネルへの往き管と床暖房パネルへの往き管との両方に、熱動弁が必要となる。
【００７２】
また、例えばパターン番号１６に示す構成では、前記熱交換端末として、１つの暖房パネル（第２暖房パネル）と１つの床暖房パネルとが設けられ、前記一括制御を行うメインリモコン装置によって前記第２暖房パネルが制御されるとともに、前記床暖房パネルに対して端末用リモコン装置によって前記個別制御が行われる。この場合、前述の条件（ｉ）に該当するため、第２暖房パネルへの往き管と床暖房パネルへの往き管との両方に、熱動弁が必要となる。
【００７３】
また、例えばパターン番号１７に示す構成では、前記熱交換端末として、１つの暖房パネル（第１暖房パネル）と１つの温水ルームヒータとが設けられ、前記第１暖房パネルに対して端末用リモコン装置によって前記個別制御が行われる（前記温水ルームヒータでは自らに備えられる操作部により制御が行われる）。この場合、前述の条件（ｉ）（ｉｉｉ）に該当し、第１暖房パネルへの往き管に、熱動弁が必要となる。なお、前述の条件（ｉｉ）には該当しない（冷房機能を備えた冷温水パネルは存在しない）ことから、温水ルームヒータへの往き管には熱動弁は必要ない。
【００７４】
また、パターン番号１８に示す構成を、図８に示す。この例では、前記熱交換端末として、２つの暖房パネル６３，６４（第２暖房パネル）と温水ルームヒータ６５が設けられ、前記暖房パネル６３，６４は前記Ａ室及び前記Ｂ室にそれぞれ配置され、前記温水ルームヒータ６５は前記Ｃ室に配置されている。前記往きヘッダ９１からの前記往き管２Ｂ１，２Ｂ２，２Ｂ３はそれぞれ前記暖房パネル６３，６４及び前記温水ルームヒータ６５へ延びている。これに対応して、前記戻り管３Ｂ１，３Ｂ２，３Ｂ３が前記暖房パネル６３，６４及び前記ルームヒータ６５から前記戻りヘッダ９２へと延びている。そして、前記一括制御を行うメインリモコン装置ＲＭによって２つの前記第２暖房パネル６３，６４が制御される（前記温水ルームヒータ６５では自らに備えられる操作部６５ａにより制御が行われる）。この場合、前述の条件（ｉｉｉ）に該当するため、２つの前記第２暖房パネル６３，６４への往き管２Ｂ１，２Ｂ２それぞれに熱動弁Ｖ１，Ｖ２が必要となり、前記室外機制御部ＣＵからの制御信号ＳＳ２に基づく熱動弁コントローラＣＶからの制御信号Ｓ１，Ｓ２によって、それぞれ開閉制御される。なお、前述の条件（ｉｉ）には該当しない（冷房機能を備えた冷温水パネルは存在しない）ことから、前記温水ルームヒータ６５への往き管２Ｂ３には熱動弁は必要ない。
【００７５】
図４に戻り、また、例えばパターン番号１９に示す構成では、前記熱交換端末として、１つの冷温水パネル（第１冷温水パネル）と１つの暖房パネル（第１暖房パネル）と１つの温水ルームヒータとが設けられ、前記第１冷温水パネル及び前記第１暖房パネルに対してそれぞれ端末用リモコン装置によって前記個別制御が行われる（前記温水ルームヒータでは自らに備えられる操作部により制御が行われる）。この場合、前述の条件（ｉ）（ｉｉ）（ｉｉｉ）にすべて該当し、第１冷温水パネルへの往き管、第１暖房パネルへの往き管、及び温水ルームヒータへの往き管すべてに、それぞれ熱動弁が必要となる。
【００７６】
また、例えばパターン番号２０に示す構成では、前記熱交換端末として、１つの冷温水パネル（第２冷温水パネル）と１つの暖房パネル（第２暖房パネル）と１つの温水ルームヒータとが設けられ、前記一括制御を行うメインリモコン装置によって前記第２冷温水パネル及び前記第２暖房パネルが制御される  （前記温水ルームヒータでは自らに備えられる操作部により制御が行われる）。この場合、前述の条件（ｉｉ）（ｉｉｉ）に該当し、第１冷温水パネルへの往き管、第１暖房パネルへの往き管、及び温水ルームヒータへの往き管すべてに、それぞれ熱動弁が必要となる。
【００７７】
また、例えばパターン番号２１に示す構成では、前記熱交換端末として、１つの冷温水パネル（第１冷温水パネル）と１つの暖房パネル（第１暖房パネル）と１つの床暖房パネルとが設けられ、前記第１冷温水パネル及び前記第１暖房パネルに対して端末用リモコン装置によってそれぞれ前記個別制御が行われるとともに、前記床暖房パネルに対しても端末用リモコン装置によって前記個別制御が行われる。この場合、前述の条件（ｉ）（ｉｉ）に該当するため、第１冷温水パネルへの往き管、第１暖房パネルへの往き管、床暖房パネルへの往き管のすべてに、それぞれ熱動弁が必要となる。
【００７８】
また、例えばパターン番号２２に示す構成では、前記熱交換端末として、１つの冷温水パネル（第２冷温水パネル）と１つの暖房パネル（第２暖房パネル）と１つの床暖房パネルとが設けられ、前記一括制御を行うメインリモコン装置によって前記第２冷温水パネル及び前記第２暖房パネルが制御されるとともに、前記床暖房パネルに対して端末用リモコン装置によって前記個別制御が行われる。この場合、前述の条件（ｉ）（ｉｉ）に該当するため、第２冷温水パネルへの往き管、第２暖房パネルへの往き管、床暖房パネルへの往き管のすべてに、それぞれ熱動弁が必要となる。
【００７９】
また、例えばパターン番号２３に示す構成では、前記熱交換端末として、１つの床暖房パネルと１つの温水ルームヒータとが設けられ、前記床暖房パネルに対して端末用リモコン装置によって前記個別制御が行われる（前記温水ルームヒータでは自らに備えられる操作部により制御が行われる）。この場合、前述の条件（ｉ）（ｉｉｉ）に該当し、床暖房パネルへの往き管に、熱動弁が必要となる。なお、前述の条件（ｉｉ）には該当しない（冷房機能を備えた冷温水パネルは存在しない）ことから、温水ルームヒータへの往き管には熱動弁は必要ない。
【００８０】
なお、パターン番号２４に示す構成は、図１及び図２に示した本実施形態の冷温水冷暖房システム１００の構成である。前記したように、本実施形態では前述の条件（ｉ）（ｉｉ）に該当し、前記冷温水パネル５１への往き管２Ｂ１、前記暖房パネル５２への往き管２Ｂ２、前記床暖房パネル５３への往き管２Ｂ３のすべてに、熱動弁Ｖ１，Ｖ２，Ｖ３がそれぞれ必要となる。
【００８１】
以上説明したような、熱動弁の要否及び設置必要箇所が多種多様なパターンに分かれるという事情に鑑み、本実施形態においては、例えばこの冷温水冷暖房システム１００の施工後のメンテナンス時やサービス時において、例えば施工会社のサービスマン等の操作者が、各熱交換端末（すなわち冷温水パネル５１、暖房パネル５２、床暖房パネル５３）に対し必要な前記熱動弁Ｖ１，Ｖ２，Ｖ３が正しく設置されているかを確認する便宜を図るための表示（詳細は後述）を、前記メインリモコン装置ＲＭの前記表示部２０１において表示するものである。以下、そのような表示を表示させるための流れを順を追って説明する。
【００８２】
本実施形態では、前記の確認を前記操作者が行う際には、システムに使用されている熱交換端末の種類をひとつひとつ前記メインリモコン装置ＲＭに対し入力することで、当該メインリモコン装置ＲＭに自動的に表示される、各熱交換端末に対する熱動弁の要否表示を見て確認を行う。すなわち、まず、前記「電源」ボタン２０２を用いてメインリモコン装置ＲＭの電源をＯＮにした後、予め定められている適宜の操作を行うと、図９に示す画面２０１Ａが表示される。
【００８３】
図９に示すように、この画面２０１Ａには、８つの熱交換端末（この例では各熱交換端末の前記往き管及び前記戻り管の流れ制御という意味で「回路」と表示している。以下の各画面でも同様）の種類をそれぞれ入力可能となるように、「回路（１）（但し図中は丸文字で表示。以下同様）」「回路（２）」「回路（３）」・・「回路（８）」の各行がそれぞれ用意され、表示されている。なお、後述するように、各熱交換端末に対し使用するリモコン装置の種類（言い換えれば制御態様）を併せて入力するために、各行の「回路○」の右側には「■未使用■」の欄も併せて用意され、表示される。この画面２０１Ａにおいて、例えば前記「メニュー／決定」ボタン２０８を操作することで、図１０に示す画面２０１Ｂに移る。
【００８４】
図１０に示すように、この画面２０１Ｂでは、まず、１つめの前記熱交換端末の種類の選択入力を促すように、最上段の前記「回路（１）■未使用■」の行にカーソルＫが合った状態が表示される。この状態で、前記「メニュー／決定」ボタン２０８を操作すると、図１１に示す画面２０１Ｃに移る。
【００８５】
図１１に示すように、この画面２０１Ｃでは、「回路（１）に接続する負荷を設定します」のメッセージが表示され、１つめの熱交換端末（図中では「回路（１）」）に対しどのような種類を選択するか、の入力が促される。図示のように「接続負荷」にカーソルＫが合った状態で前記十字キー２０９により上方へのスクロール操作を行うと、図１２の画面２０１Ｄに示すように「接続負荷」の下に次々に熱交換端末の名称（予め用意されている）が表示される。この例では、前記十字キー２０９の上方スクロール操作により、例えば、「冷温水パネル」→「暖房パネル」→「床暖房パネル」→「温水ルームヒータ」→・・の順で表示させる。図１２では、図１に示した前記の構成（前記Ａ室に冷温水パネル５１が配置されている）に合わせて、まず「冷温水パネル」を選択した状態を表している。この状態で前記十字キー２０９の右方へのスクロール操作を行うと、図１３に示す画面２０１Ｅに移る。
【００８６】
図１３に示すように、この画面２０１Ｅでは、１つめの熱交換端末（この例では「冷温水パネル」）に対しどのような種類のリモコンを選択するか（言い換えれば制御態様を前述の一括制御とするのか個別制御とするのか）、の入力が促される。図示のように初期設定として「メイン」が表示され、「リモコン」にカーソルＫが合った状態で前記十字キー２０９により上方へのスクロール操作を行うと、図１４の画面２０１Ｇに示すように、「リモコン」の下にリモコン装置の名称（予め用意されている）が表示される。この例では、前記十字キー２０９の上方スクロール操作により、例えば、「メイン」（前記一括制御に対応）→「Ｎｏ．１」（前記個別制御に対応）→「Ｎｏ．２」（前記個別制御に対応）→「Ｎｏ．３」（前記個別制御に対応）→・・の順で表示させる。いずれかのリモコン装置を表示させた状態で、前記「メニュー／決定」ボタン２０８を操作し、当該選択を確定することができる。この例では、図１に示した前記の構成（前記冷温水パネル５１は、メインリモコン装置ＲＭにより制御される）に合わせて、図１３の画面２０１Ｅのように「冷温水パネル」と「メイン」を表示した状態で「メニュー／決定」ボタン２０８を操作すると、１つめの熱交換端末（この例では前記冷温水パネル５１）に関する入力が終了し、図１５に示す画面２０１Ｈに移る。
【００８７】
次に、前記同様にして、２つめの熱交換端末に係わる選択入力を行う。すなわち、図１５に示す画面２０１Ｈにおいて前記同様に十字キー２０９を操作してスクロール表示させ、図１に示した前記の構成（前記Ｂ室に暖房パネル５２が配置されている）に合わせて「接続負荷」は「暖房パネル」、「リモコン」は「Ｎｏ．１」を表示させた状態（図１６）で「メニュー／決定」ボタン２０８を操作すると、２つめの熱交換端末（この例では前記暖房パネル５２）に関する入力が終了する。
【００８８】
図１７は、図１６の画面２０１Ｉから適宜の操作（例えば前記「戻る」ボタン２０７の操作）により表示される、前記図１０の画面２０１Ｂ相当の、画面２０１Ｊを示している。図示のように、この状態で、前記冷温水パネル５１に対しメインリモコン装置ＲＭによる前記一括制御が行われ、さらに前記暖房パネル５２に対し端末用リモコン装置ＲＡにより前記個別制御が行われることが、入力済みとなっている。
【００８９】
その後さらに、前記同様にして、３つめの熱交換端末に係わる選択入力を行う。すなわち、図１に示した前記の構成（前記Ｃ室に床暖房パネル５３が配置されている）に合わせて「接続負荷」は「床暖房パネル」、「リモコン」は「Ｎｏ．２」を表示させた状態で「メニュー／決定」ボタン２０８を操作すると、３つめの熱交換端末（この例では前記床暖房パネル５３）に関する入力が終了する（図示省略）。図１８は、この入力終了後、前記適宜の操作（例えば前記「戻る」ボタン２０７の操作）により表示される、前記同様の画面２０１Ｋを示している。図示のように、この状態で、前記冷温水パネル５１に対しメインリモコン装置ＲＭによる前記一括制御が行われ、さらに前記暖房パネル５２に対し端末用リモコン装置ＲＡにより前記個別制御が行われ、さらに前記床暖房パネル５３に対し端末用リモコン装置ＲＢにより前記個別制御が行われることが、入力済みとなっている。
【００９０】
この後、前記十字キー２０９を用いて前記画面２０１Ｋの最下段までスクロールすると、図１９に示すように「設定を確定し完了する」のメッセージの行が表示される。図示のようにこのメッセージにカーソルＫを合わせて前記「メニュー／決定」ボタン２０８を操作すると、図２０に示す画面２０１Ｌに移る。
【００９１】
図２０において、この画面２０１Ｌでは、前述までの入力結果に対応した、各熱交換端末（前記の例では冷温水パネル５１、暖房パネル５２、床暖房パネル５３）ごとに、熱動弁が必要か否かの判定結果が表示される。図示の例では、既に述べたように、前記端末用リモコン装置ＲＡ，ＲＢにより暖房パネル５２及び床暖房パネル５３の個別制御が行われ、前記条件（ｉ）に該当していることと、冷温水端末である冷温水パネル５１と暖房専用端末である暖房パネル５２及び床暖房パネル５３とが混在し前記条件（ｉｉ）にも該当していることに基づき、冷温水パネル５１、暖房パネル５２、床暖房パネル５３すべてへの前記往き管２Ｂ１，２Ｂ２，２Ｂ３それぞれに熱動弁Ｖ１，Ｖ２，Ｖ３が必要であることが、「熱動弁が必要」のメッセージで表示されている。
【００９２】
なお、図２１の画面２０１Ｍには、別の例として、前記図８を用いて説明した、パターン番号１８の構成を入力したときの判定結果の表示を示している。この画面２０１Ｍでは、図８に示したように、暖房パネル６３、６４が前記メインリモコン装置ＲＭにより一括制御される一方で、温水ルームヒータ６５が設けられており、前記条件（ｉｉｉ）に該当する（但し前記条件（ｉｉ）には該当しない）ことに基づき、暖房パネル６３，６４（但し暖房パネルが２つあることから区別するために「暖房パネル（１）」「暖房パネル（２）」のように表示されている）への前記往き管２Ｂ１，２Ｂ２にはそれぞれ熱動弁Ｖ１，Ｖ２が必要であり、温水ルームヒータ６５への前記往き管２Ｂ３には熱動弁は不要であることが、「熱動弁が必要」「熱動弁は不要」のメッセージでそれぞれ表示されている。
【００９３】
次に、以上説明した表示を実行するために、リモコン装置ＲＭの前記ＣＰＵが実行する制御手順を、図２２により説明する。まず、前記表示部２０１に前述の各画面を表示させつつ、前記熱交換端末の種類（名称）の選択入力を受け付ける（Ｓ５）。前述の例では、「冷温水パネル」「暖房パネル」「床暖房パネル」「温水ルームヒータ」・・の各表示の中からの、操作者の選択入力を受け付ける。なお、このＳ５の手順を実行する上記ＣＰＵが、各請求項記載の端末種類受付手段として機能する。
【００９４】
その後、前記受け付けた熱交換端末ごとに、前記リモコン装置の種類（名称）の入力を受け付ける（Ｓ１０）。前述の例では、前記メインリモコン装置に対応した「メイン」の表示と、前記端末用リモコン装置にそれぞれ対応した「Ｎｏ．１」「Ｎｏ．２」・・等の各表示の中からの、操作者の選択入力を受け付ける。なお、このＳ１０の手順を実行する上記ＣＰＵが、各請求項記載の制御態様受付手段として機能する。
【００９５】
その後、すべての熱交換端末について、前記熱交換端末の種類（名称）及び前記リモコン装置の種類（名称）の入力が完了したか否かを判定する（Ｓ１５）。入力が完了していない場合は判定が満たされず（Ｓ１５：Ｎｏ）Ｓ５に戻って同様の手順を繰り返し、入力が完了した場合は判定が満たされ（Ｓ１５：Ｙｅｓ）、Ｓ２０へ進む。
【００９６】
Ｓ２０では、前記Ｓ５及び前記Ｓ１０の手順でのすべての入力結果に基づき、前記端末用リモコン装置によって前記個別制御を行う熱交換端末が１つでも含まれているか否か、を判定する。すべての熱交換端末について前記メインリモコン装置による前記一括制御を行う場合は判定が満たされず（Ｓ２０：Ｎｏ）、後述のＳ４０に進む。いずれか１つの熱交換端末において前記個別制御が行われる場合は判定が満たされ（Ｓ２０：Ｙｅｓ）、Ｓ２５に進む。
【００９７】
Ｓ２５では、前記入力結果に、冷温水パネルと暖房専用端末（前記の暖房パネル、床暖房パネル、温水ルームヒータ等）との両方が含まれているか否か、を判定する。両方が含まれている場合は判定が満たされ（Ｓ２５：Ｙｅｓ）、Ｓ３０に進んで、すべての熱交換端末に対し（詳細には熱交換端末への前記往き管に対し。以下同様）熱動弁が必要である、と判定する。両方が含まれていない場合は判定が満たされず（Ｓ２５：Ｎｏ）、Ｓ３５に進んで、温水ルームヒータが含まれている場合における当該温水ルームヒータにのみ熱動弁は不要であり、それ以外のすべての熱交換端末に対し熱動弁が必要である、と判定する。
【００９８】
一方、前記Ｓ２０の判定が満たされず進んだＳ４０では、前記Ｓ２５と同様、前記入力結果に、冷温水パネルと暖房専用端末（前記の暖房パネル、床暖房パネル、温水ルームヒータ等）との両方が含まれているか否か、を判定する。両方が含まれていない場合は判定が満たされず（Ｓ４０：Ｎｏ）、後述のＳ６０に進む。両方が含まれている場合は判定が満たされ（Ｓ４０：Ｙｅｓ）、Ｓ４５に進む。
【００９９】
Ｓ４５では、前記入力結果に、温水ルームヒータが含まれているか否か、を判定する。温水ルームヒータが含まれている場合は判定が満たされ（Ｓ４５：Ｙｅｓ）、Ｓ５０に進んで、すべての熱交換端末に対し熱動弁が必要である、と判定する。温水ルームヒータが含まれていない場合は判定が満たされず（Ｓ４５：Ｎｏ）、Ｓ５５に進んで、暖房専用端末（前記の暖房パネル、床暖房パネル）にのみ熱動弁が必要であり、それ以外の熱交換端末に対しては熱動弁は不要である、と判定する。
【０１００】
一方、前記Ｓ４０の判定が満たされず進んだＳ６０では、前記入力結果において、温水ルームヒータと他端末が含まれているか否か、を判定する。温水ルームヒータが含まれている場合は判定が満たされ（Ｓ６０：Ｙｅｓ）、Ｓ６５に進んで、温水ルームヒータには熱動弁は不要であり、それ以外のすべての熱交換端末に対しては熱動弁が必要である、と判定する。温水ルームヒータが含まれていない場合は判定が満たされず（Ｓ６０：Ｎｏ）、Ｓ７０に進んで、すべての熱交換端末について熱動弁は不要である、と判定する。
【０１０１】
なお、前記Ｓ２０〜Ｓ７０の手順を実行する上記ＣＰＵが、各請求項記載の判定手段として機能する。
【０１０２】
前記Ｓ３０，Ｓ３５，Ｓ５０，Ｓ５５，Ｓ６５，Ｓ７０において前記の判定を行った後は、それぞれＳ６５に進む。Ｓ６５では、それぞれの判定結果を、前記表示部２０１に表示させ（図１９、図２０参照）、このフローを終了する。なお、Ｓ６５の手順を実行する上記ＣＰＵが、各請求項記載の表示制御手段として機能する。
【０１０３】
以上説明したように、本実施形態のメインリモコン装置ＲＭによれば、前記表示部２０１において、各熱交換端末ごとに定まる前記往き管２Ｂ１，２Ｂ２，２Ｂ３への熱動弁の設置の要否が表示される。これにより、前記したようなシステム施工後のメンテナンス時やサービス時において、各熱交換端末に対し必要な熱動弁Ｖ１，Ｖ２，Ｖ３が正しく設置されているかどうかを、容易に確認することができるものである。また施工前に、施工ミスがないように上記の表示を行わせることも可能なものである。
【０１０４】
また、本実施形態では特に、操作者が、前記熱交換端末の種類を入力し、さらにそれぞれの端末に対するリモコン装置の制御態様を選択する（言い換えれば前記メインリモコン装置ＲＭを使用するか前記端末用リモコン装置ＲＡ等を使用するかを選択する）ことで、各端末ごとに熱動弁Ｖ１等の設置の要否が判定され、表示部２０１に表示される。このように、操作者が所定の順序で入力・選択を行うだけで判定結果が表示されるので、熱動弁の要否を確実に容易に確認でき、利便性を向上できるものである。
【０１０５】
また、本実施形態では特に、前記熱交換端末の種類が、前記冷温水パネル、暖房パネル、床暖房パネル、温水ルームヒータのいずれであるかを入力し、さらにそれぞれの端末に対して端末用リモコン装置ＲＡ等の個別制御を行うのかメインリモコン装置ＲＭで一括制御を行うのかを選択することで、各端末ごとに前記判定結果が表示される。これにより、各端末ごとの熱動弁の要否をさらに確実に確認できるものである。
【０１０６】
また、本実施形態では特に、システム中に、前記個別制御が行われる端末が含まれるか否かに応じて、前記熱動弁の設置の要否が判定される（図２２のＳ２０参照）。これにより、例えば複数の熱交換端末中に個別制御の端末が含まれる場合に、当該個別制御実行時には他の端末への冷水又は温水の供給を停止する必要があり前記熱動弁設置の必要性があることを、確実に操作者に報知できるものである。
【０１０７】
また、本実施形態では特に、システム中に、前記冷温水パネルと、前記暖房パネル、床暖房パネル、温水ルームヒータのうちいずれか１つと、が含まれるか否かに応じて、前記熱動弁の設置の要否が判定される（図２２のＳ２５，Ｓ４０参照）。これにより、複数の熱交換端末中に冷暖房兼用端末である冷温水パネルと暖房専用端末（暖房パネル、床暖房パネル、温水ルームヒータ）とが混在する場合に、冷房運転時には前記暖房専用端末への冷水の供給を停止する必要があり前記熱動弁設置の必要性があることを、確実に操作者に報知できるものである。
【０１０８】
また、本実施形態では特に、システム中に、前記温水ルームヒータとそれ以外の端末との両方が含まれるか否かに応じて、前記熱動弁の設置の要否が判定される（図２２のＳ４５，Ｓ６０参照）。これにより、複数の熱交換端末中に前記温水ルームヒータとそれ以外の端末とが混在する場合に、当該温水ルームヒータのみの運転時には他の端末への温水の供給を停止する必要があり前記熱動弁設置の必要性があることを、確実に操作者に報知できるものである。
【０１０９】
また、本実施形態では特に、冷温水往き管２の上流側が、往きヘッダ９１を用いて１つの共通往き管２Ａとなっている構成において、往きヘッダ９１よりも下流側に位置する複数の往き管２Ｂ１，２Ｂ２，２Ｂ３等においてそれぞれ必要に応じて熱動弁Ｖ１，Ｖ２，Ｖ３等を設けることで、各往き管２Ｂ１，２Ｂ２，２Ｂ３等をそれぞれ個別に閉じて前記温水又は前記冷水の供給を停止することができる。
【０１１０】
なお、本発明は上記実施形態に限定されるものではなく、発明の要旨を変更しない範囲で種々の変更が可能である。例えば上記実施形態では、冷暖房可能な端末として冷温水パネルのみを例にとって説明したが、これに限られず、冷暖房機能を備えた他の端末（吸放熱端末）を適用してもよい。また暖房専用端末として、暖房パネル、床暖房パネル、温水ルームヒータのみを例にとって説明したが、これに限られず、暖房機能を備えた他の専用端末（放熱端末）を適用してもよい。また、以上説明した前記メインリモコン装置ＲＭの各種表示・判定機能を、端末用リモコン装置ＲＡ，ＲＢ等に設けてもよい。
【符号の説明】
【０１１１】
１                室外機
７                圧縮機
８                室外熱交換器（空気熱交換器）
９                膨張弁
１１              水−冷媒熱交換器（水熱交換器）
２                冷温水往き管
２Ａ              共通往き管（導入管路）
２Ｂ１〜２Ｂ３    往き管（個別往き管、導入管路）
３Ａ              共通戻り管（導出管路）
３Ｂ１〜３Ｂ３    戻り管（個別戻り管、導出管路）
５１              冷温水パネル（冷温水端末、熱交換端末）
５２              暖房パネル（暖房端末、熱交換端末）
５３              床暖房パネル（床暖房端末、熱交換端末）
５４              冷温水パネル（冷温水端末、熱交換端末）
５５              冷温水パネル（冷温水端末、熱交換端末）
５６              暖房パネル（暖房端末、熱交換端末）
５７              暖房パネル（暖房端末、熱交換端末）
５８              暖房パネル（暖房端末、熱交換端末）
５９              暖房パネル（暖房端末、熱交換端末）
６０              暖房パネル（暖房端末、熱交換端末）
６１              暖房パネル（暖房端末、熱交換端末）
６２              暖房パネル（暖房端末、熱交換端末）
６３              暖房パネル（暖房端末、熱交換端末）
６４              暖房パネル（暖房端末、熱交換端末）
６５              温水ルームヒータ（熱動弁内蔵型の暖房端末、熱交換端末）
９１              往きヘッダ
９２              戻りヘッダ
１００            冷温水冷暖房システム
２０２            「電源」ボタン（操作部）
２０３            「運転」ボタン（操作部）
２０４            「タイマー」ボタン（操作部）
２０５            「運転切替」ボタン（操作部）
２０７            「戻る」ボタン（操作部）
２０８            「メニュー／決定」ボタン（操作部）
２０９            十字キー（操作部）
ＲＭ              メインリモコン装置（リモコン装置）
ＲＡ              端末用リモコン装置（リモコン装置）
Ｖ１〜Ｖ３        熱動弁
【図１】
0006360805.tif 000002
【図２】
0006360805.tif 000003
【図３】
0006360805.tif 000004
【図４】
0006360805.tif 000005
【図５】
0006360805.tif 000006
【図６】
0006360805.tif 000007
【図７】
0006360805.tif 000008
【図８】
0006360805.tif 000009
【図９】
0006360805.tif 000010
【図１０】
0006360805.tif 000011
【図１１】
0006360805.tif 000012
【図１２】
0006360805.tif 000013
【図１３】
0006360805.tif 000014
【図１４】
0006360805.tif 000015
【図１５】
0006360805.tif 000016
【図１６】
0006360805.tif 000017
【図１７】
0006360805.tif 000018
【図１８】
0006360805.tif 000019
【図１９】
0006360805.tif 000020
【図２０】
0006360805.tif 000021
【図２１】
0006360805.tif 000022
【図２２】
0006360805.tif 000023